(57)【要約】【課題】扉用シャッタ装置において、構造を簡略化してシャッタの昇降動作を安定させ、操作性も軽く良好にすると共に、開き戸への取付作業性を良くし、メンテナンスを可能にする。【解決手段】扉用シャッタ装置Ｒは、開き戸Ｄを閉じてトイレ等の室を使用するために施錠するとき、錠前Ｋのサムタン摘みを正方向に回動してカムレバー２１を連結凸部２１ｄが上向きの傾き姿勢となる回動位置に回動すると、その回動方向に応じて、リンクユニットＬのリンク７４が、そのジョイント７６に係合した連結凸部が上向きに傾いた高さだけ上昇して足部材７７がシャッタユニットＣの揺動杆６０の突片部６０ｃ上から退避するため、作動杆が重力により突片部と反対側の係止部６０ｂを下向きに傾動し、すると、シャッタがガイド手段Ｇの案内で遮蔽位置へ降下して開き戸と床面Ｆとの間の隙間Ｓを遮蔽する構成になっている。【選択図】          図１
2011001755.tif 000002
【特許請求の範囲】
【請求項１】
開き戸を閉じて室内を使用するときにシャッタを降ろして前記開き戸と床面間に開いた通気用の隙間を遮蔽する扉用シャッタ装置であって、
閉状態の前記開き戸を施解錠するとき、操作具を正逆方向に回動すると、該操作具の回動方向に応じて、先端側に有する連結凸部が下向きの傾き姿勢となる第１回動位置と上向きの傾き姿勢となる第２回動位置とに前記操作具と一体に回動するカムレバーを前記連結凸部が錠ケースから外向きに臨む状態で枢支し、前記開き戸の戸先側に内設する錠前と、
前記シャッタと、ガイド手段で案内して該シャッタを格納する高さの格納位置と前記隙間を塞ぐ高さの遮蔽位置とに昇降可能に吊持するシャッタケースと、長さ方向一端に前記シャッタの一部を係止させる係止部を設ける一方、他端に上向きに伸びる突片部を設け、前記シャッタケース内で揺動自在に枢支する揺動杆とからなり、前記開き戸の下端に取り付けるシャッタユニットと、
ロッドの上端に前記連結凸部を係合凹部に係合させて前記カムレバーに連結するジョイントを装着する一方、前記ロッドの下端に前記揺動杆の突片部に載せる足部材を装着したリンクを、前記開き戸の高さ方向に直線往復移動可能に内設するリンクユニットと、
を備えてなることを特徴とする、扉用シャッタ装置。
【請求項２】
前記開き戸が枠体を間に挟んで鏡板材を張り合わせてなる中空のパネルで、戸先側の縦框には、木口面から厚さ方向に貫通する錠前取付口を穿設する一方、下側の横框には、その長さ方向に沿って取付溝を凹設すると共に前記戸先側縦框と隣接する縦桟との間を貫通するリンク挿入穴を穿設した扉であって、
まず、前記リンクユニットを、前記リンク挿入穴から入れて前記ジョイントが前記錠前取付口を正面に臨む取付位置まで挿入し、前記錠前取付口と前記取付溝から前記枠体に固着し、
次いで、錠前を、前記錠前取付口から挿入し、前記連結凸部を前記ジョイントの係合凹部に係合させて前記カムレバーを前記リンクに連結してから、前記戸先側縦框に固着し、
しかる後、前記シャッタユニットを、前記揺動杆の突片部を前記リンク挿入穴に向き合わせて前記取付溝に嵌め込み、前記突片部に前記足部材を載せた状態で、前記下側横框に固着してなることを特徴とする、請求項１に記載の扉用シャッタ装置の取付方法。
【発明の詳細な説明】
【技術分野】
【０００１】
本発明は、トイレなど、開き戸で閉じて室内を使用するときにシャッタを降ろして開き戸と床面間に開いた通気用の隙間を遮蔽する扉用シャッタ装置およびその取付方法に関する。
【背景技術】
【０００２】
戸建てやマンションなど一般住宅の建築では、シックハウス症候群の予防など、環境衛生上の理由から、室内に良好な通気性が求められ、従って、開き戸にも、床面との間に通気用の隙間を設けるように建築規制上の指導を受けている。しかし、一方で、トイレなど、用途によっては、音や臭いが漏れないように密閉性が求められる室があり、従って、その種の室では、開き戸と床面との間に隙間を設けると、隙間から漏れる音や臭いが気になるという問題がある。
【０００３】
そこで、従来、室の通気性と密閉性という２つの相反する要請に応えて、本締め錠やラッチ錠など錠前の操作具による施解錠操作に連動させてシャッタを昇降させて、開き戸と床面間の隙間を開閉する構造とし、これにより、開き戸を閉めて室を使用する間だけシャッタで開き戸と床面間の隙間を塞ぐようにする、扉用シャッタ装置が提案されている。
【０００４】
この従来の扉用シャッタ装置は、図１４に示すように、ラッチボルト１ａを水平移動可能に保持した錠ケース１ｂを開き戸の戸先側に内設するラッチ錠１と、操作具２の回動操作と連動して開き戸の高さ方向上下に移動するロッド３と、開き戸の下端に沿って左右幅方向に移動する横棒４と、ロッド３の上下運動を水平運動に変換する第１運動変換機構５と、開き戸の下端に上下動可能に設けるシャッタ６と、横棒４の水平運動を上下運動に変換してシャッタ６に伝達する第２運動変換機構７を備え、図１５（Ａ）に示すように、ロッド３の上端に切欠き凹部３ａを設ける一方、切欠き凹部３ａにラッチ付勢ばね１ｃで付勢してラッチボルト１ａの係止部１ｄを係合させると共に、ラッチボルト１ａの先端を取付板１ｅから突出させた状態で保持する構成にしている。
【０００５】
そこで、開き戸を閉じると、図１５（Ｂ）に示すようにラッチボルト１ａがラッチ付勢ばね１ｃに抗して戸枠９に押し込まれ、ラッチボルト１ａの係止部１ｄがロッド３の切欠き凹部３ａから外れるため、操作具２によるロッド３の昇降が可能になる。従って、操作具２を回動してロッド３を下降させると、その上下運動が第１運動変換機構５によって水平運動に変換され、それが横棒４に伝達されることにより、戻しスプリング８の強い付勢力に抗して横棒４を水平方向に移動する。それから、横棒４の水平運動が第２運動変換機構７によって上下運動に変換され、その駆動力がシャッタ６に伝達されることで、シャッタ６が降りて開き戸と床面間の隙間を遮蔽する構成にしている（特許文献１参照）。
【先行技術文献】
【特許文献】
【０００６】
【特許文献１】特開平９  −  ７８９５８号公報
【特許文献２】特開平９  −１５１６７９号公報
【特許文献２】特開平１０−２３８２５０号公報
【発明の概要】
【発明が解決しようとする課題】
【０００７】
ところが、従来の扉用シャッタ装置では、ラッチ錠のような錠前の操作具２の回動操作を利用し、最終的にシャッタ６が上下して昇降するまでに、操作具２の回転がロッド３により上下運動に変換できるようにする構造に加え、ロッド３の上下運動を水平運動に変換する第１運動変換機構５だけでなく、更に、横棒４の水平運動を上下運動に変換してシャッタ６に伝達する第２運動変換機構７が不可欠な構造であり、これでは、全体に運動伝達機構が複雑になるため、部品点数が多くなってコスト高を招き、しかも、シャッタの昇降動作も安定性に欠け故障しやすいという課題があった。
【０００８】
しかも、従来の扉用シャッタ装置では、操作具２を回動操作するとロッド３が下降し、その上下運動が第１運動変換機構５により水平運動に変換されるが、水平運動が横棒４に伝達されると、戻しスプリング８の強いばね付勢力が常に加わった横棒４を、そのばね付勢力に抗して水平方向に移動させる必要があり、これでは、操作具２の操作に戻しスプリング８の強いばね付勢力が抵抗になるため、それだけ操作具２の回動操作が重たく操作性が悪いという課題があった。
【０００９】
加えて、従来の扉用シャッタ装置では、ロッド３が、その上端部を錠ケース１ｂ内に入り込ませてラッチ錠と連結する一方、下端部を第１運動変換機構５と一体に連結して１つの組立構造体として組み立ててなるため、それだけ大きくて複雑な組立構造体を開き戸内に組み込むには、パネル状の開き戸を組み立てるとき、例えば片側の鏡板材に枠体を間に挟んで他側の鏡板材を張り合わす前に取り付ける必要があるとみられ、結局、一方で開き戸を組み立てながら、他方で開き戸に部品を取り付けることになり、これでは、取付作業に手間がかかり面倒であるという課題があった。従って、メンテナンス時は、開き戸の鏡板材を取り外さない限り、組立構造体を取り出せないため、事実上、修理や清掃などのメンテナンスを行うことができないとい課題もあった。
【００１０】
そこで、本発明の目的は、扉用シャッタ装置において、構造を簡略化してシャッタの昇降動作を安定させ、操作性も軽く良好にすると共に、開き戸への取付作業性を良くし、メンテナンスを可能にすることにある。
【００１１】
本発明の目的を達成すべく、請求項１に記載の発明は、たとえば以下に示す図示実施の形態のとおり、開き戸Ｄを閉じて室内を使用するときにシャッタ５５を降ろして前記開き戸Ｄと床面Ｆ間に開いた通気用の隙間Ｓを遮蔽する扉用シャッタ装置Ｒであって、閉状態の前記開き戸Ｄを施解錠するとき、サムタン摘み２５のような操作具を正逆方向に回動すると、該操作具の回動方向に応じて、先端側に有する連結凸部２１ｄが上向きの傾き姿勢となる第１回動位置と下向きの傾き姿勢となる第２回動位置とに前記操作具と一体に回動するカムレバー２１を前記連結凸部２１ｄが錠ケースｑから外向きに臨む状態で枢支し、前記開き戸Ｄの戸先側に内設する錠前Ｋと、前記シャッタ５５と、ガイド手段Ｇで案内して該シャッタ５５を格納する高さの格納位置と前記隙間Ｓを塞ぐ高さの遮蔽位置とに昇降可能に吊持するシャッタケース５０と、長さ方向一端に前記シャッタ５５の一部を係止させる係止部６０ｂを設ける一方、他端に上向きに伸びる突片部６０ｃを設け、前記シャッタケース５０内で揺動自在に枢支する揺動杆６０とからなり、前記開き戸Ｄの下端に取り付けるシャッタユニットＣと、ロッド７５の上端に前記連結凸部２１ｄを係合凹部８０に係合させて前記カムレバー２１に連結するジョイント７６を装着する一方、前記ロッド７５の下端に前記揺動杆６０の突片部６０ｃに載せる足部材７７を装着したリンク７４を、前記開き戸Ｄの高さ方向に直線往復移動可能に内設するリンクユニットＬと、を備えることを特徴とする。
【００１２】
請求項２に記載の発明は、請求項１に記載の扉用シャッタ装置Ｒにおいて、たとえば以下に示す図示実施の形態のとおり、前記開き戸Ｄが枠体１０を間に挟んで鏡板材１１・１１を張り合わせてなる中空のパネルで、戸先側の縦框１０ｃには、木口面から厚さ方向に貫通する錠前取付口１０ｇを穿設する一方、下側の横框１０ｂには、その長さ方向に沿って取付溝ｃを凹設すると共に前記戸先側縦框１０ｃと隣接する縦桟１０ｅとの間を貫通するリンク挿入穴ｄを穿設した扉であって、まず、前記リンクユニットＬを、前記リンク挿入穴ｄから入れて前記ジョイント７６が前記錠前取付口１０ｇを正面に臨む取付位置まで挿入し、前記錠前取付口１０ｇと前記取付溝ｃから前記枠体１０に固着し、次いで、錠前Ｋを、前記錠前取付口１０ｇから挿入し、前記連結凸部２１ｄを前記ジョイント７６の係合凹部８０に係合させて前記カムレバー２１を前記リンク７４に連結してから、前記戸先側縦框１０ｃに固着し、しかる後、前記シャッタユニットＣを、前記揺動杆６０の突片部６０ｃを前記リンク挿入穴ｄに向き合わせて前記取付溝ｃに嵌め込み、前記突片部６０ｃに前記足部材７７を載せた状態で、前記下側横框１０ｂに固着してなることを特徴とする。
【発明の効果】
【００１３】
請求項１に記載の発明では、開き戸を閉じてトイレ等の室を使用するために施錠するとき、錠前の操作具を正方向に回動してカムレバーを連結凸部が上向きの傾き姿勢となる第１回動位置に回動すると、その回動方向に応じて、リンクユニットのリンクが、そのジョイントに係合した連結凸部が上向きに傾いた高さだけ上昇して足部材をシャッタユニットの揺動杆の突片部上から退避させるため、作動杆が重力により突片部と反対側の係止部を下向きに傾動し、すると、シャッタがガイド手段の案内で遮蔽位置へ降下して開き戸と床面との間の隙間を遮蔽する。他方、トイレ等の室の使用後、開き戸を開けるために解錠するときは、操作具を逆方向に回動してカムレバーを連結凸部が下向きの傾き姿勢となる第２回動位置に回動すると、その回動方向に応じて、リンクユニットのリンクが、ジョイントに係合した連結凸部が下向きに傾いた高さだけ下降して足部材を揺動杆の突片部上に載せて押えるため、作動杆が突片部とは反対側の係止部を上向きに傾動してシャッタの一部に押し当り、すると、シャッタがガイド手段の案内で格納位置へ上昇して開き戸と床面間に通気用の隙間を開ける。このように請求項１に記載の発明によれば、扉用シャッタ装置は、錠前の操作具の回動運動を、従来のごとく操作の抵抗となる付勢ばねの類を介さず、リンクと揺動杆を用いた簡単な運動伝達機構を介してシャッタに伝達してシャッタを昇降させる簡略な構造とし、これにより、トイレ等の室を使用するために施錠している間は、シャッタを降ろして開き戸と床面との間の隙間を遮蔽する一方、その室を使用した後に解錠すると、シャッタが上昇して開き戸と床面間に通気用の隙間が開いた状態にすることを、シャッタ昇降動作の安定性の低下を招くことなく、著しく廉価に実現させることができる。
【００１４】
加えて、請求項１に記載の発明によれば、操作具と一体に回動するカムレバーを連結凸部が錠ケースから外向きに臨む状態で枢支し、その連結凸部をジョイントの係合凹部に係合させてカムレバーをリンクユニットのリンクと連結する構造であるため、扉用シャッタ装置を開き戸に取り付けるとき、錠前とリンクユニットとを個別に開き戸に組み込み、開き戸内で連結して組み立てることが可能となり、従来のごとく、一方で開き戸自体を組み立てながら、他方で複雑な組立体を開き戸内に組み付けるような面倒な取付手順を踏む必要がなく、これによって、取付作業性を著しく向上させることができる。
【００１５】
請求項２に記載の発明によれば、開き戸が戸先側の縦框に錠前取付口を有し、下側の横框に取付溝とリンク挿入穴を有する扉であれば、３体のユニットの、まずリンクユニットを、リンク挿入穴から挿入して錠前取付口と取付溝から枠体に固着し、次いで、錠前を、錠前取付口から挿入してカムレバーをリンクに連結してから、戸先側縦框に固着し、最後に、シャッタユニットを取付溝に嵌め込んで下側横框に固着する、３つの取付工程を踏めば開き戸への取付けが済み、よって、従来のごとく開き戸を組み立てながら取り付ける必要がなく、迅速かつ簡単に扉用シャッタ装置を開き戸に取り付けることができる。
【図面の簡単な説明】
【００１６】
【図１】本発明の扉用シャッタ装置を組み込んだ開き戸をシャッタ格納状態で示す正面図である。
【図２】開き戸をシャッタ降下状態で示す正面図である。
【図３】扉用シャッタ装置の開き戸への取付手順を示す分解斜視図である。
【図４】開き戸の室内側を示す正面図である。
【図５】錠前の分解斜視図である。
【図６】（Ａ）錠前をラッチが突出したラッチング状態で示す正面図、（Ｂ）錠前をラッチが引っ込んだ解錠状態で示す正面図である。
【図７】錠前を施錠状態で示す正面図である。
【図８】シャッタユニットの分解斜視図である。
【図９】（Ａ）シャッタユニットをシャッタ格納状態で示す正面図、（Ｂ）シャッタユニットをシャッタ降下状態で示す正面図である。
【図１０】（Ａ）図９中線Ａ−Ａ断面図、（Ｂ）図９中線Ｂ−Ｂ断面図である。
【図１１】リンクユニットの分解斜視図である。
【図１２】リンクユニットの側面図である。
【図１３】（Ａ）リンクユニットをリンクが上昇した状態で示す正面図、（Ｂ）その側面図である。
【図１４】従来の扉用シャッタ装置の内部構造を示す縦断面図である
【図１５】（Ａ）従来の扉用シャッタ装置のロッド下降操作規制状態を示す説明断面図、（Ｂ）ロッド下降動作解除状態を示す説明断面図である。
【発明を実施するための形態】
【００１７】
以下、図面を参照しつつ、本発明の実施形態について説明する。
【００１８】
図１は、本発明の扉用シャッタ装置を組み込んだ開き戸をシャッタ格納状態で示す正面図、図２は開き戸をシャッタ降下状態で示す正面図、図３は扉用シャッタ装置の開き戸への取付手順を示す分解斜視図、図４は開き戸の室内側を示す正面図である。図示実施の形態では、扉用シャッタ装置Ｒをトイレの開き戸Ｄに適用している。
【００１９】
開き戸Ｄは、中空の木製パネルで、上下の横框１０ａ・１０ｂと、左右の縦框１０ｃ・１０ｄと、各框間の縦桟１０ｅおよび横桟１０ｆとで格子状に組んだ枠体１０を間に挟んで、鏡板材１１・１１を張り合わせて組み立ててなる。戸先側（図中左）の縦框１０ｃには、木口面から厚さ方向に縦長な錠前取付口１０ｇを穿設すると共に、錠前取付口１０ｇを横断する軸呼込穴ａ・ｂを穿設している。下側の横框１０ｂには、下面の長さ方向に沿って取付溝ｃを凹設すると共に、戸先側縦框１０ｃと隣接する縦桟１０ｅとの間を貫通するリンク挿入穴ｄを穿設している。取付溝ｃは、下側横框１０ｂの幅方向に深く穿設してやや細長い断面コ形に形成し、溝内に同じ断面コ形状の金具ｍを嵌着して補強している。かかる開き戸Ｄは、床面Ｆとの間に通気用の隙間Ｓを開けて、戸枠Ｐにヒンジで戸尻側縦框１０ｄを軸として回動自在に取り付けるようになっている。なお、戸枠Ｐの戸先側縦枠材ｐには、錠前取付口１０ｇと対向する高さ位置にラッチ受口ｎが凹設されている。
【００２０】
扉用シャッタ装置Ｒは、図４に示すように、開き戸Ｄを施解錠する錠前Ｋと、錠前Ｋの施解錠動作と連動して開き戸Ｄと床面Ｆとの間の隙間Ｓを開閉するシャッタユニットＣと、錠前Ｋの操作具の回動操作の運動をシャッタユニットＣへ伝達するリンクユニットＬとの３つのユニットからなっている。
【００２１】
錠前Ｋは、レバーハンドル１２の回動操作でラッチボルトをラッチ出入口から出没させて開き戸Ｄを施解錠するラッチ錠で、図５に示すように、錠ケースｑ内にラッチボルト１５のラッチガイド手段ｇとロック制御手段ｒを組み込んでなる。ラッチガイド手段ｇは、ガイドレバー１６、固定板１７、圧縮コイルスプリングのラッチ付勢ばね１３、回動ハブ１８、ハブ押え１９、圧縮コイルスプリングのハブ付勢ばね１４等からなる。ロック制御手段ｒは、ロックプレート２０、カムレバー２１、クランク２２、ねじれコイルばねのカム付勢ばね２３、操作具のサムタン摘み２５等からなっている。
【００２２】
錠ケースｑは、片側開放の浅底なケース本体２６に蓋板２７を被せて薄箱状に組み立てる。ケース本体２６は、幅方向（図中左右）一側の縦長な前板部２６ａに細長い金属板製の取付板２８を重ねて固着し、高さ方向（図中上下）中間に矩形なラッチ出入口２９を設けてなる。幅方向他側の後板部２６ｂには、図中下側の下板部２６ｃ寄りに縦長矩形な回動規制穴３０を設け、底板部２６ｄには、中心に雌ねじ穴を螺設した２本の呼込軸３１・３２を立設し、呼込軸３１の上側にハブ軸受穴３３を設け、呼込軸３２と回動規制穴３０間にカム軸受穴３４を設けてなる。蓋板２７には、ケース本体２６の呼込軸３１・３２が嵌着する軸穴３５・３６を設け、ケース本体２６側と同じハブ軸受穴３３とカム軸受穴３４等が設けられている。
【００２３】
ラッチボルト１５は、先端面がテーパのラッチ１５ａと、軸基端をラッチ１５ａの首部１５ｂに挿設したラッチ軸１５ｃとからなり、ラッチ１５ａには、首部１５ｂの外周に環状の掛止め溝１５ｄを凹設してなる。
【００２４】
ラッチガイド手段ｇにおいて、ガイドレバー１６は、金属板を、本体ケース２６の前板部２６ａと上板部２６ｅの角部形状に合わせて、全体にＬ形に屈曲し、更に一端片１６ａを直角に曲げ起こし、その先端部にＵ形に切り欠いた掛止め凹部１６ｂを設け、他端片１６ｃ寄りにばね掛け突部１６ｄを突設している。一方、他端片１６ｃには、その先端側を一端片１６ａと同じ向きに直角に曲げ起こし掛止め片部１６ｅを突設している。固定板１７は、細長い金属板の中間部を斜めに屈曲し、一端縁と両側縁に差込みリブ１７ａ…を突設し、一端側に軸挿通穴１７ｂを設ける一方、他端側にばね掛け突部１７ｃを設け、ばね掛け突部１７ｃの横に切欠き段部１７ｄを形成してなる。回動ハブ１８は、ボス部１８ａの中心にレバーハンドル１２の断面矩形の回動軸部が嵌挿する断面星形の回転伝達穴１８ｂを穿設する一方、外周面に係止突起１８ｃ・１８ｄ・１８ｅを互いに直角な向きで放射状に突設してなる。ハブ押え１９は、樹脂製で、先端に回動ハブ１８の係止突起１８ｃ・１８ｄ・１８ｅと相似形の突当て凸部１９ａを突設する一方、基端側には、先端側に向けてばね嵌込み凹部１９ｂを穿設してなる。
【００２５】
そこで、ラッチガイド手段ｇは、固定板１７の差込みリブ１７ａ…を本体ケース２６の底板部２６ｄと上板部２６ｅに設けた差込み穴３９…に差し込み、図６（Ａ）に示すように、固定板１７を底板部２６ｄ上に立てて固定する。それから、ラッチ出入口２９からラッチ１５ａが突出した状態でラッチボルト１５を本体ケース２６内に配設し、ラッチ軸１５ｃの先端を、固定板１７の軸挿通穴１７ｂに通して固定板１７で軸支する。一方、ラッチ１５ａの掛止め溝１５ｄに、ガイドレバー１６の一端片１６ａの掛止め凹部１６ｂを係合させると共に、他端片１６ｃの先端側を切欠き段部１７ｄに係止してガイドレバー１６を前板部２６ａと上板部２６ｅの角部分に嵌め込み、これにより、ラッチボルト１５を、本体ケース２６内で幅方向左右に移動して進退可能に保持している。そのとき、固定板１７のばね掛け突部１７ｃにばね一端を掛けたラッチ付勢ばね１３の他端を、ガイドレバー１６のばね掛け突部１６ｄに掛けて、ラッチ付勢ばね１３をガイドレバー１６と固定板１７間で挟持し、これにより、ラッチボルト１５を、ラッチ付勢ばね１３で常時付勢してラッチ１５ａがラッチ出入口２９から突出した状態で保持してなる。
【００２６】
更に、ラッチガイド手段ｇは、固定板１７の図中右の後方で、回動ハブ１８のボス部１８ａをハブ軸受穴３３に嵌着し、回動ハブ１８を、その係止突起１８ｃを固定板１７とガイドレバー１６の掛止め片部１６ｅ間に挟んだ状態で回動可能に立設する。他方、ハブ押え１９は、ばね嵌込み凹部１９ｂにハブ付勢ばね１４の一端側を嵌入し、そのハブ付勢ばね１４の他端を、底板部２６ｄから切り起こしたばね受片２６ｇに押し当てながら、突当て凸部１９ａを回動ハブ１８の係止突起１８ｄに突き当てて、後板部２６ｂと底板部２６ｄ上のガイドリブ２６ｆ間で上下移動可能に配置する。従って、回動ハブ１８は、ハブ付勢ばね１４の付勢力で押し上がるハブ押え１９に突き上げられて、係止突起１８ｃが、固定板１７に押し当たる一方、固定板１７とガイドレバー１６の掛止め片部１６ｅ間で挟持された回動角度位置に位置決め保持されている。
【００２７】
他方、ラッチロック制御手段ｒにおいて、ロックプレート２０は、金属板で、図５中下側の一端板部２０ａを、本体ケース２６の前板部２６ａと下板部２６ｃの角部形状に合わせて直角に角を付けて形成し、一端板部２０ａに係合ピン４０を立設すると共に、係合ピン４０の横に図中上下に長い係合穴４１を設けている。一方、他端板部２０ｂは、その先端を曲げ起こして規制突片部２０ｃを設けてなる。カムレバー２１は、金属製で、一段肉厚なボス部２１ａの片側に楕円状の基端部２１ｂを突設する一方、他側に伸びる振り子部２１ｃの先端に円盤状の連結凸部２１ｄを延設し、全体を魚形に形成してなる。ボス部２１ａの中心には、サムタン摘み２５の断面矩形な回動軸４４が嵌挿する、同じ矩形の回転伝達穴４５が穿設されている。基端部２１ｂには、その片面に細いばね掛け穴４６を凹設する一方、反対側の他面に嵌合ピン４７を凸設している。クランク２２は、金属板の一端を直角に曲げ起こしてＬ形に形成し、平板部２２ａの中間に軸挿通穴４８を設け、軸挿通穴４８の片側に長いピン穴４９を、他側の端縁に切欠き凹部４３を設けてなる。
【００２８】
そこで、ラッチロック制御手段は、ロックプレート２０の係合穴４１に、図６（Ａ）に示すように呼込軸３２を係合し、一端板部２０ａを前板部２６ａと下板部２６ｃの角部分に嵌め込み、他端板部２０ｂの図中右側縁をガイドリブ２６ｆに沿わせて規制突片部２０ｃを固定板１７と回動ハブ１８の係止突起１８ｅ間に向けて位置させ、ロックプレート２０を、底板部２６ｄ上に重ねて本体ケース２６内で図中上下に移動可能に配置する。次いで、クランク２２の軸挿通穴４８に呼込軸３２を貫挿し、ピン穴４９に係合ピン４０を係合させて、クランク２２をロックプレート２０上で呼込軸３２を中心に回動可能に重ねる。それから、クランク２２の切欠き凹部４３にカムレバー２１の嵌合ピン４７を嵌合してクランク２２にカムレバー２１を連結する。一方、カムレバー２１は、連結凸部２１ｂを回動規制穴３０に通して本体ケース２６から突出させた状態で、カム軸受穴３４にボス部２１ａを嵌着してボス部２１ａを中心に回動可能に枢支する。それから、カムレバー２１のばね掛け穴４６にカム付勢ばね２３の一端を係入する一方、他端のリング部２３ａを呼込軸３２に巻装する。すると、カムレバー２１は、カム付勢ばね３２の図６（Ａ）中時計方向の回動付勢力で押されて、振り子部２１ｃが回動規制穴３０の下穴縁３０ａに押し当って連結凸部２１ｄが下向きの傾き姿勢となる回動位置で保持される。他方、上述のようにカムレバー２１が図中時計方向に回動すると、嵌合ピン４７に押されてクランク２２が呼込軸３２を中心に図中反時計方向に回動し、ピン穴４９に係合したロックプレート２０の係合ピン４０がピン穴４９の穴縁に押されてロックプレート２０を押し下げ、先端の規制突部２０ｃが固定板１７と回動ハブ１８の係止突起１８ｅ間から抜け出て回動ハブ１８の回動を許すロック解除位置で保持し、これにより、錠前Ｋは、レバーハンドル１２の回動操作を許す解錠状態になっている。
【００２９】
しかる後、錠前Ｋは、本体ケース２６に蓋板２７を被せて呼込軸３１・３２の雌ねじ穴に止めねじをねじ込み、図３に示すように組み立てられる。錠前Ｋは、開き戸Ｄの戸先側縦框１０ｃの錠前取付口１０ｇから組み込んで開き戸Ｄの戸先側に内設する。そのとき、錠前Ｋは、レバーハンドル１２の回動軸部を開き戸Ｄの軸呼込穴ａに通して回動ハブ１８の回転伝達穴１８ｂに嵌挿してレバーハンドル１２を錠ケースｑに取り付け、サムタン摘み２５の回動軸４４を開き戸Ｄの軸呼込穴ｂに通してカムレバー２１の回転伝達穴４５に嵌挿してカムレバー２１を錠ケースｑに取り付けるようになっている。
【００３０】
従って、錠前Ｋは、例えばレバーハンドル１２を回動操作し、その回動軸部を嵌挿した回動ハブ１８が図６（Ｂ）中時計方向に回動すると、ハブ外周の係止突起１８ｄがハブ付勢ばね１４に抗してハブ押え１９を押し下げる一方、係止突起１８ｃが係止した掛止め片部１６ｅを押してガイドレバー１６を後方の後板部２６ｂ側へラッチ付勢ばね１３に抗して摺動し、すると、ガイドレバー１６に係着したラッチボルト１５は、ラッチ１５ａがラッチ出入口２９から錠ケースｑ内に引っ込んだ退避位置へ後退するようになっている。従って、例えばレバーハンドル１２の回動操作を止めると、ハブ付勢ばね１４の付勢力が働き、図６（Ａ）に示すように、ハブ押え１９の突当て凸部１９ａに回動ハブ１９が押し上げられて図中反時計方向に回動し、すると、ラッチ付勢ばね１３の付勢力でガイドレバー１６が前方へ押し戻され、これにより、ラッチボルト１５は、ラッチ１５ａがラッチ出入口２９から突出したラッチング位置へ自動的に前進するようになっている。
【００３１】
さて、錠前Ｋは、ラッチボルト１５がラッチング位置にあるときに、サムタン摘み２５を回動操作し、カムレバー２１を図６（Ａ）中反時計方向にカム付勢ばね２３に抗して回動すると、図７に示すように、振り子部２１ｃが回動規制穴３０の上穴縁３０ｂに当って係止する。そのとき、カムレバー２１は、一定角度回動した時点で、付勢方向が切り換わるカム付勢ばね２３に付勢されて、振り子部２１ｃが回動規制穴３０の上穴縁３０ｂに押し当り、連結凸部２１ｂが上向きの傾き姿勢となる回動位置で保持される。反対に、サムタン摘み２５の回動操作でカムレバー２１を図７中反時計方向に回動すると、クランク２２が嵌合ピン４７に押されてロックプレート２０上で呼込軸３２を中心として図中時計方向に回動する。すると、クランク２２のピン穴４９に係合した係合ピン４０がピン穴４９の穴縁に押されてロックプレート２０がせり上がり、ロックプレート２０は、先端の規制突部２０ｃが固定板１７と回動ハブ１８の係止突起１８ｅ間に挟まるロック位置に摺動し、回動ハブ１８の回動を規制する。これにより、錠前Ｋは、回動ハブと同軸のレバーハンドル１２の回動操作をロックした施錠状態になる。
【００３２】
そこで、この施錠状態の錠前Ｋを解錠するときは、サムタン摘み２５を反対の図７中時計方向に回動操作し、カムレバー２１をカム付勢ばね２３に抗して連結凸部２１ｂが下向きの傾き姿勢となる回動位置に回動する。すると、カムレバー２１の嵌合ピン４７にクランク２２が押されて、図６（Ａ）に示すように、呼込軸３２を中心として図中反時計方向に回動し、すると、クランク２２のピン穴４９の穴縁に係合ピン４０が押されてロックプレート２０が押し下がり、先端の規制突部２０ｃが固定板１７と回動ハブ１９の係止突起１８ｅ間から抜け出て回動ハブ１８のロック解除位置に復帰する。これにより、錠前Ｋは、レバーハンドル１２の回動操作を許す解錠状態になる。
【００３３】
従って、錠前Ｋは、いまロック解除状態のレバーハンドル１２を回動操作し、回動ハブ１８を、図６（Ａ）中時計方向に回動すると、外周の係止突起１８ｄがハブ押え１９をハブ付勢ばね１４に抗して押し下がる一方、掛止め片部１６ｅに係止した係止突起１８ｃでガイドレバー１６を後方へラッチ付勢ばね１３に抗して摺動し、これにより、ラッチボルト１５を、ラッチ１５ａが錠ケースｑ内に引っ込む退避位置に後退させて、ラッチ１５ａがラッチ受口ｎに係合したラッチング状態を解除し、開き戸Ｄを開けられるようになっている。
【００３４】
次に、シャッタユニットＣは、図８に示すように、シャッタケース５０と、シャッタ５５と、揺動杆６０と、ガイド手段Ｇのシャッタガイド６５を備えた構成になっている。
【００３５】
シャッタケース５０は、開き戸Ｄの取付溝ｃに対応させて横長な形状に、金属板を曲げて断面コ形に成形し、上板部５０ａの長さ方向片側に嵌込穴５１を設け、対向側板部５０ｂ・５０ｃの長さ方向両端側にガイド軸穴５２・５２を設けると共に、片側寄り上側にシャッタ軸穴５３を設けてなる。シャッタケース５０には、嵌込穴５１に細長い口形の樹脂製突片ガイド５４を嵌め込んでいる。
【００３６】
図示例のシャッタ５５は、シャッタ本体５６にシール材５７を繋いでつくり、全体をシャッタケース５０の対向側板部５０ｂ・５０ｂに対応させて横長に形成してなる。シャッタ本体５６は、幅方向一側の縁を直角に曲げて、そこに鍔片部５６ａを形成する一方、他側縁の長さ方向に沿って断面Ｌ状リブを突設し、他側縁との間に取付細溝５６ｂを形成してなる。更に、シャッタ本体５６は、長さ方向片側のシャッタケース５０の嵌込穴５１と対応する位置に切欠き凹部５８を設け、長さ方向両端側のシャッタケース５０のガイド軸穴５２・５２と対応する位置に縦長な嵌合長穴５９・５９を設けると共に、片側寄りのシャッタケース５０のシャッタ軸穴５３と対応する部位をＵ形に切り欠いて、逃げ凹部６１を設けてなる。シール材５７は、弾性材、例えばゴム製で、断面が幅方向片側の基部５７ａから他側の先端縁へ漸次薄肉に形成してなる。そこで、シャッタ５５は、シール材５７の基部５７ａをシャッタ本体５６の取付細溝５６ｂに押し込んで、シール材５７をシャッタ本体５６に対して撓み可能に取り付けてなる。なお、図示シャッタ５５は、互いに別体の金属板製のシャッタ本体５６にゴム製のシール材５７を取り付けて形成したが、それに限らず、例えば、シャッタ本体は硬質樹脂を素材とし、シール材は軟質樹脂を素材にして一体に樹脂成形することもできる。
【００３７】
揺動杆６０は、細長い金属板をなだらかな山形に形成した本体板部６０ａと、本体板部６０ａの長さ方向一端側で本体板部６０ａに対し横向きに屈曲した係止部６０ｂと、他端側で本体板部６０ａに対しＬ状に図中上向きに伸びる突片部６０ｃとからなり、山形の本体板部６０ａの頂点ｘを突片部６０ｃ寄りにずらして形成し、頂点ｘの下側の偏心位置に軸穴６１を設けてなる。
【００３８】
シャッタガイド６５は、樹脂製で、シャッタケース５０の対向側板５０ｂ・５０ｃ間の間隔に対応させた長さを有し、シャッタ５５の嵌合長穴５９・５９に嵌め込み可能な細長い環状のスペーサ部６５ａと、スペーサ部６５ａの片側周縁に細長い井形鍔状に形成した押え部６５ｂとからなる。このシャッタガイド６５は、スペーサ部６５ａをシャッタ５５の嵌合長穴５９・５９に嵌め込み、押え部６５ｂでシャッタ本体５６を押えて抜け止め状態でシャッタ５５に組み付けてなる。なお、図示シャッタユニットＣでは、シャッタガイド６５と、そのスペーサ部６５ａを貫挿する後述のガイド軸６６とでシャッタ５５の昇降移動を案内するガイド手段Ｇを形成する。
【００３９】
そこで、シャッタユニットＣは、ガイド軸穴５２とシャッタガイド６５のスペーサ部６５ａにガイド軸６６を貫挿して対向側板５０ｂ・５０ｃ間に横架し、シャッタ５５を、ガイド手段Ｇの案内で嵌合長穴５９に沿って昇降可能にシャッタケース５０に吊設する。次いで、シャッタユニットＣは、支軸６７を、逃げ凹部６１に配置したカラー６８とワッシャ６９を介して軸穴６１に貫挿して対向側板５０ｂ・５０ｃ間に横架し、揺動杆６０を、偏心位置の支軸６７を支点としてシャッタケース５０内で揺動自在に枢支する。そのとき、揺動杆６０の支点が突片部６０ｃ寄りの偏心位置にあるため、シャッタユニットＣは、片側の突片部６０ｃがシャッタケース５０の突片ガイド５４から突出して作動杆６０が傾いた状態で、図３に示すように組み立ててなる。
【００４０】
従って、シャッタユニットＣは、図９（Ａ）に示すように、揺動杆６０の片方の突片部６０ｃが上から押えられた状態では、上向きに傾き姿勢にある他方の係止部６０ｂがシャッタ５５の鍔片部５６ａに押し当たり、これにより、シャッタ５５をガイド手段Ｇの案内で嵌合長穴５９に沿って格納位置へ吊り上げ、図１０（Ａ）に示すように、シャッタケース５０内に格納状態で吊持する。一方、揺動杆６０の片方の突片部６０ｃの押えを解除すると、図９（Ｂ）に示すように、作動杆６０は、重力により支軸６７を支点として図中時計方向に揺動し、他方の係止部６０ｂを下向きに傾動してシャッタ５５の鍔片部５６ａから外れ、これにより、シャッタ５５は、ガイド手段Ｇの案内で嵌合長穴５９に沿って遮蔽位置へ下降し、図１０（Ｂ）に示すように、シャッタ出入口７０からシール材５７が垂れて出るようになっている。シャッタユニットＣでは、このようにシャッタ５５が昇降するとき、シャッタケース５０内でのシャッタ５５の横向きの動きをシャッタガイド６５で規制してシャッタ５５の横振れを抑え、シャッタケース５０内での衝突音や摩擦音の発生を防止する。
【００４１】
リンクユニットＬは、図１１および図１２に示すように、リンク取付バー７３とリンク７４とからなる。リンク７４は、ロッド７５と、ジョイント７６と、足部材７７と、アジャスト手段７８等を備えた構成になっている。
【００４２】
リンク取付バー７３は、複数のねじ止め用穴を有した細長い金属板からなり、ロッド７５より長い取付本体部７３ａの一端側をＬ状に曲げて、そこに台板片部７３ｂを形成してなる。ロッド７５は、細長い中空の金属パイプからなり、両端にピン挿通穴８６・８７を設けてなる。ジョイント７６は、樹脂製ピースで、基端部７６ａからコ形凸部７６ｂを連設し、コ形凸部７６ｂに係合凹部８０を形成してなる。基端部７６ａには、端面から係合凹部７６ｂ側へパイプ穴７９を穿設する一方、両側面には、ロッド７５のピン挿通穴８６と対応するピン挿通穴８１を穿設してなる。足部材７７は、略ブーツ形の樹脂ピースで、フラットな底面７７ａと上面７７ｂ間に軸貫通穴８２を穿設してなる。軸貫通穴８２は、足部材７７の上面７７ｂ側が、内周面の一部に平面を有した回転規制穴で形成してなる。
【００４３】
アジャスト手段７８は、ねじ軸８３とスタッド８４を備える。ねじ軸８３は、頭部８３ａと雄ねじ部８３ｂ間の外周に環状の位置決めリブ８３ｃを設け、頭部８３ａには、ピン挿通穴８５を設けてなる。スタッド８４は、中心に雌ねじ穴８４ａを螺設し、一端を足部材７７の軸貫通穴８２の回転規制形状に合わせた端部形状に形成してなる。そして、アジャスト手段７８は、スタッド８４の雌ねじ穴８４ａにねじ軸８３の雄ねじ部８３ｂを螺合して連結し、その螺合深さを調節して全体の長さを調整するようになっている。
【００４４】
そこで、リンクユニットＬは、ロッド７５の図中上端をジョイント７６のパイプ穴７９に挿入してから、ピン挿通穴８１・８６に通す波形スプリングピン８８の両端をかしめてロッド７５の上端にジョイント７６を固定する。ロッド７５の下端管部には、アジャスト手段７８のねじ軸８３の頭部８３ａを差し込んでから、ピン挿通穴８７・８５に通す波形スプリングピン８９をかしめてロッド７５の下端にアジャスト手段７８を固定し、スタッド８４の回転規制端部８４ｂを足部材７７の軸貫通穴８２に嵌合させてから、底面７７ａ側から軸貫通穴８２に取付ねじ９０を挿入してスタッド８４の雌ねじ穴８４ａに螺着する。こうしてロッド７５の下端にアジャスト手段７８を介して足部材７７を連結して組み立てる。リンクユニットＬは、ロッド７５の両端に半筒形のガイドキャップ９５・９５を嵌め付け、ねじ９３とナット９４でリンク取付バー７３の取付本体部７３ａの正面７３ｃに締着し、図１３（Ａ）・（Ｂ）に示すように、リンク７４を、ガイドキャップ９５・９５の案内で直線往復移動可能にリンク取付バー７３に組み付け、以って、図３に示すように組み立てられる。
【００４５】
さて、以上のような構成の錠前ＫとシャッタユニットＣおよびリンクユニットＬの３体のユニットからなる扉用シャッタ装置Ｒを、開き戸Ｄに取り付けるときは、まず第１に、ジョイント７６を前に向けて、リンクユニットＬを、リンク挿入穴ｄから入れて戸先側縦框１０ｃと隣接する縦桟１０ｅ間に通し、ジョイント７６が錠前取付口１０ｇを正面に臨む取付位置まで挿入する。そのとき、リンクユニットＬの取付位置を調整する必要があれば、アジャスト手段７８のスタッド８４とねじ軸８３の螺合深さを調節してリンク７４の長さを調整する。それから、取付溝ｃから、リンク取付バー７３の台板片部７３ｂを縦桟１０ｅと横框１０ｂの角部に嵌め付けて横框１０ｂにねじで固着すると共に（図１参照）、錠前取付口１０ｇから、取付本体部７３ａをねじで縦桟１０ｅに固着し、以って、リンクユニットＬを開き戸Ｄ内の戸先側で枠体１０に取り付ける。
【００４６】
次いで、第２に、カムレバー２１の連結凸部２１ｄを前に向けて、錠前Ｋを、錠前取付口１０ｇから挿入し、連結凸部２１ｄをジョイント７６の係合凹部８０に係合させてカムレバー２１をリンク７４に連結する。それから、取付板２８の両端突片を戸先側縦框１０ｃの木口面にねじで固着し、以って、錠前Ｋを開き戸Ｄ内の戸先側で枠体１０に取り付ける。
【００４７】
しかる後、第３に、シャッタユニットＣを、揺動杆６０の突片部６０ｃをリンク挿入穴ｄに向き合わせて取付溝ｃに嵌め込み、突片部６０ｃにリンクユニットＬの足部材７７を載せた状態で、シャッタケース５０の上板部５０ａを横框１０ｂにねじで固着する。それから、取付溝ｃの両端に開いた溝縁にエンドキャップ９９・９９を嵌着し、以って、シャッタユニットＣを開き戸Ｄ内の下端で枠体１０に取り付け、これにて扉用シャッタ装置Ｒの開き戸Ｄに対する取り付けを終える。
【００４８】
さて、扉用シャッタ装置Ｒを取り付けた開き戸Ｄは、図４に示すように、戸枠Ｐにヒンジで戸尻側縦框１０ｄを軸として回動自在に吊り込まれる。そこで、開き戸Ｄを閉じた状態のとき、扉用シャッタ装置Ｒにおいて、錠前Ｋは、図１、図４および図６（Ａ）に示すように、ラッチボルト１５のラッチ１５ａが突出してラッチ受口ｎに係合したラッチング状態にある。従って、開き戸Ｄをトイレの室内又は室外から開けるときは、レバーハンドル１２を回動操作して回動ハブ１８をハブ付勢ばね１４に抗して図中時計方向に押し回し、図６（Ｂ）に示すように、ガイドレバー１６をラッチ付勢ばね１３に抗して後方へ摺動させ、それに従って、ラッチボルト１５を退避位置へ後退させてラッチ１５ａを錠ケースｑ内に引っ込め、いったんラッチ１５ａをラッチ受口ｎから外してラッチング状態を解除してから、開き戸Ｄを回動して開ける。一方、開き戸Ｄを開けた後、レバーハンドル１２の押し回しを止めると、ハブ付勢ばね１４の付勢力が働いて回動ハブ１９を図中反時計方向に回動し、再び図６（Ａ）に示すように、ラッチ付勢ばね１３の付勢力が働いてガイドレバー１６を前方へ押し戻し、ラッチボルト１５をラッチング位置に前進させて自動的にラッチ１５ａがラッチ出入口２９から突出したラッチング状態になる。
【００４９】
このように開き戸Ｄを開閉するとき、扉用シャッタ装置Ｒは、錠前Ｋのカムレバー２１を、カム付勢ばね２３で図１および図６（Ａ）中時計方向に回動付勢して連結凸部２１ｄが下向きの傾き姿勢となる回動位置に保持するため、リンクユニットＬのリンク７４は、ジョイント７６に係合した連結凸部２１ｄが下向きに傾いた高さだけ下降し、足部材７７を、シャッタユニットＣの揺動杆６０の突片部６０ｃ上に載せて押えた状態になり、すると、図９（Ａ）に示すように、作動杆６０が支軸６７を支点として突片部６０ｃとは反対側の係止部６０ｂが上向きに傾動し、上向きに傾き姿勢にある他方の係止部６０ｂがシャッタ５５の鍔片部５６ａに押し当たり、これにより、シャッタ５５を、ガイド手段Ｇの案内で嵌合長穴５９に沿って格納位置へ吊り上げ、図１０（Ａ）に示すように、シャッタケース５０内に格納状態で吊持する。これにより、開き戸Ｄと床面Ｆとの間には通気用に隙間Ｓが開いている。
【００５０】
他方、開き戸Ｄを閉じて、例えばトイレを使用するため、施錠する場合は、サムタン摘み２５を回動操作してカムレバー２１を、図２および図７に示すように、カム付勢ばね２３に抗して図中反時計方向に回動すると、クランク２２がカムレバー２１の嵌合ピン４７に押されて呼込軸３２を中心に図中時計方向に回動してロックプレート２０を先端の規制突部２０ｃで回動ハブ１８の回動を規制するロック位置に摺動し、これにより、回動ハブ１８と同軸のレバーハンドル１２の回動操作を規制し、ラッチング状態にあるラッチボルト１５をロックして施錠状態にする。
【００５１】
このとき、扉用シャッタ装置Ｒは、錠前Ｋにおいて、カムレバー２１を、カム付勢ばね２３で図２および図７中反時計方向に回動付勢して連結凸部２１ｄが上向きの傾き姿勢となる回動位置に保持するため、リンクユニットＬのリンク７４が、ジョイント７６に係合した連結凸部２１ｄが上向きに傾いた高さだけ上昇し、足部材７７による揺動杆６０の突片部６０ｃの押えを解除する。すると、シャッタユニットＣでは、作動杆６０が、図９（Ｂ）に示すように、支軸６７を支点として突片部６０ｃとは反対側の係止部６０ｂが重力により下向きに傾動して鍔片部５６ａから外れ、シャッタ５５がガイド手段Ｇの案内で嵌合長穴５９に沿って遮蔽位置へ降下し、即ち、図１０（Ｂ）に示すように、シャッタケース５０のシャッタ出入口７０からシール材５７が垂れ下がり、以って、トイレを使用している施錠中は、シャッタ５５を降ろして開き戸Ｄと床面Ｆとの間の隙間Ｓを遮蔽する。
【００５２】
従って、扉用シャッタ装置Ｒでは、このトイレの使用後、開き戸Ｄを開けるために、解錠する場合は、サムタン摘み２５を回動操作し、カムレバー２１を図７中時計方向にカム付勢ばね２３に抗して回動すると、図１および図６（Ａ）に示すように、クランク２２がカムレバー２１の嵌合ピン４７に押されて呼込軸３２を中心に図中反時計方向に回動してロックプレート２０を回動ハブ１８の回動を許すロック解除位置に戻し、これにより、レバーハンドル１２の回動操作を許す解錠状態になる。
【００５３】
このとき、扉用シャッタ装置Ｒは、錠前Ｋにおいて、カムレバー２１を、カム付勢ばね２３で図中時計方向に回動付勢して連結凸部２１ｄが下向きの傾き姿勢となる回動位置に保持するため、リンクユニットＬのリンク７４が、ジョイント７６に係合した連結凸部２１ｄが下向きに傾いた高さだけ下降し、足部材７７をシャッタユニットＣの揺動杆６０の突片部６０ｃ上に載せて押える状態になる。すると、すると、シャッタユニットＣにおいて、作動杆６０が、図９（Ａ）に示すように、支軸６７を支点として突片部６０ｃとは反対側の係止部６０ｂが上向きに傾動し、上向きに傾き姿勢にある他方の係止部６０ｂがシャッタ５５の鍔片部５６ａに押し当って、シャッタ５５を、ガイド手段Ｇの案内で嵌合長穴５９に沿って格納位置へと吊り上げ、これにより、トイレの使用後に解錠すると、シャッタ５５が上昇して開き戸Ｄと床面Ｆ間に隙間Ｓが開いて通気する。
【００５４】
ところで、上述した図示実施の形態では、錠前Ｋがラッチ錠であったが、本発明では、操作具を回動操作によって開き戸が施解錠される錠前であれば、ラッチ錠に限らず、本締め錠や鎌錠などであってもよい。
【００５５】
また、上述した図示実施の形態では、錠前Ｋのカムレバー２１を回動操作する操作具がサムタン摘み２５であったが、本発明では、それに限らず、回動操作可能であれば、ノブやレバー等であってもよい。
【符号の説明】
【００５６】
Ｃ              シャッタユニット
Ｄ              開き戸
Ｆ              床面
Ｇ              ガイド手段
Ｋ              錠前
Ｌ              リンクユニット
Ｒ              扉用シャッタ装置
Ｓ              隙間
ｃ              取付溝
ｄ              リンク挿入穴
ｑ              錠ケース
１０            枠体
１０ｂ          下側横框
１０ｃ          戸先側縦框
１０ｅ          縦桟
１０ｇ          錠前取付口
１１            鏡板材
２１            カムレバー
２１ｄ          連結凸部
２５            サムタン摘み（操作具）
５０            シャッタケース
５５            シャッタ
６０            作動杆
６０ｂ          係止部
６０ｃ          突片部
７４            リンク
７５            ロッド
７６            ジョイント
７７            足部材
７８            アジャスト手段
８０            係合凹部
８３            ねじ軸
８４            スタッド
【図１】
2011001755.tif 000003
【図２】
2011001755.tif 000004
【図３】
2011001755.tif 000005
【図４】
2011001755.tif 000006
【図５】
2011001755.tif 000007
【図６】
2011001755.tif 000008
【図７】
2011001755.tif 000009
【図８】
2011001755.tif 000010
【図９】
2011001755.tif 000011
【図１０】
2011001755.tif 000012
【図１１】
2011001755.tif 000013
【図１２】
2011001755.tif 000014
【図１３】
2011001755.tif 000015
【図１４】
2011001755.tif 000016
【図１５】
2011001755.tif 000017